(57)【要約】  ユーザが平面パネルモニターのような電子機器（３００）を拡張アームまたは他の取付け装置（１００）に容易に着脱することが可能である、クイックリリースアセンブリ（２０２）が提供されている。クイックリリースアセンブリ（２０２）の一実施形態は、電子機器（３００）に接続されるアダプタープレート（２１２）と、取付け装置（１００）に固定される接続プレート（２１６）と、アダプタープレート（２１２）と接続プレート（２１６）との間に配置されるリリースプレート（２１４）とを備えている。完全に組み立てられた状態で、ユーザは、リリースプレート（２１４）のリリース機構（２５０）を押し込むことによって、リリースプレート（２１４）および接続プレート（２１６）をアダプタープレート（２１２）から離脱させることが可能である。リリース機構（２５０）を押し込んだ後、接続プレート（２１６）を滑らせ、アダプタープレート（２１２）から取り外すことが可能である。従来の装置と違って、電子装置（３００）を取付け装置（１００）から取り外すために、手を伸ばし難い締め具を取り除くかまたは緩めることが不要である。
2008538233.tif 000002
【特許請求の範囲】
【請求項１】
機器を取付けユニットに離脱可能に連結するアダプターユニットにおいて、
前記機器への接続手段を有するアダプタープレートと、
前記取付けユニットへの接続手段と前記アダプタープレートへの連結手段とを有する接続プレートと、
前記アダプタープレートと前記接続プレートとの間に配置されたリリースプレートであって、前記接続プレートを前記アダプタープレートから離脱させるリリース機構を備えるリリースプレートと、
を備えていることを特徴とするアダプターユニット。
【請求項２】
前記接続プレートは、前記機器を軸を中心として回転させる回転プレートを含んでいることを特徴とする、請求項１に記載のアダプターユニット。
【請求項３】
前記回転プレートは、前記軸を中心として少なくとも１８０°にわたって回転可能であることを特徴とする、請求項２に記載のアダプターユニット。
【請求項４】
前記リリース機構は、前記リリースプレートの第１端の付近に配置されたポストを含んでいることを特徴とする、請求項１に記載のアダプターユニット。
【請求項５】
前記リリースプレートは、少なくとも１つのコネクタを備え、前記アダプタープレートは、前記少なくとも１つのコネクタを固定するように構成された少なくとも１つのレセプタクルを備えていることを特徴とする、請求項１に記載のアダプターユニット。
【請求項６】
前記リリースプレートは、第１の側に少なくとも１つのボスを備え、前記接続プレートは、前記少なくとも１つのボスを収容するように構成された少なくとも１つのレセプタクルを備えていることを特徴とする、請求項１に記載のアダプターユニット。
【請求項７】
前記接続プレートを前記アダプタープレートに連結する前記手段は、前記アダプタープレートの第２端と係合するように構成された１対のアングル部材を有するコネクタを含んでいることを特徴とする、請求項１に記載のアダプターユニット。
【請求項８】
前記接続プレートは、第１の側に突起を有する回転プレートを含み、前記突起は、前記取付けユニットのチルターマウントの通路に収容可能であり、前記回転プレートは、前記チルターマウントの前記通路に沿って、少なくとも部分的に回転可能であることを特徴とする、請求項１に記載のアダプターユニット。
【請求項９】
電子機器をチルト装置に離脱可能に連結するアダプターユニットにおいて、
配列された一連の貫通孔を有するアダプタープレートであって、締め具を前記一連の貫通孔に嵌入させることによって、前記電子機器に固定可能であるアダプタープレートと、
前記チルト装置に固定される回転プレートであって、前記回転プレートを前記アダプタープレートに固定する１対のアングル部材を備える回転プレートと、
前記アダプタープレートと前記回転プレートとの間に挟まれたリリースプレートであって、前記回転プレートを前記アダプタープレートから離脱させるために、その第１端に隣接して配置されたポストを備えるリリースプレートと、
を備えていることを特徴とするアダプターユニット。
【請求項１０】
前記固定された電子機器から離れた前記アダプタープレートの第１の側は、その第１端における第１厚みからその第２端における第２厚みにテーパが付された傾斜面を備えていることを特徴とする、請求項９に記載のアダプターユニット。
【請求項１１】
前記アダプタープレートの前記第１の側は、前記傾斜面の両側に配置された１対の平面をさらに備え、前記１対の平面は、前記リリースプレートを離脱可能に固定する手段を備えていることを特徴とする、請求項１０に記載のアダプターユニット。
【請求項１２】
前記一連の貫通孔は、互いに隣接する貫通孔間を第１距離として配列された第１組と、互いに隣接する貫通孔間を第２距離として配列された第２組とを有し、前記第２距離は、前記第１距離よりも大きいことを特徴とする、請求項９に記載のアダプターユニット。
【請求項１３】
前記第１距離は約７５ｍｍであり、前記第２距離は約１００ｍｍであることを特徴とする請求項１２に記載のアダプターユニット。
【請求項１４】
前記アダプタープレートの第２の側は、１対の段表面を備え、前記第１組の貫通孔は、第１の段表面に配置され、前記第２組の貫通孔は、第２の段表面に配置されていることを特徴とする、請求項１２に記載のアダプターユニット。
【請求項１５】
前記アダプタープレートは、前記リリースプレートの前記ポストを収容するために、その第１の端に沿った開口を備えていることを特徴とする、請求項９に記載のアダプターユニット。
【請求項１６】
前記回転プレートは、突起を有する隆起部分を有する第１の側を備え、前記突起は、前記チルト装置のチルターマウントの通路に嵌入可能であることを特徴とする、請求項９に記載のアダプターユニット。
【請求項１７】
電子機器を取付けユニットに離脱可能に連結するアダプターシステムにおいて、
チルト装置であって、
前記取付けユニットへの固定手段を有するチルターヘッドと、
チルターマウントと、
前記チルターマウントを前記チルターヘッドに回転可能に連結するチルターバーと、
を備えるチルト装置と、
アダプターユニットであって、
前記機器への接続手段を有するアダプタープレートと、
前記チルターマウントに固定可能な接続プレートであって、前記アダプタープレートへの連結手段を有する接続プレートと、
前記アダプタープレートと前記接続プレートとの間に配置されるリリースプレートであって、前記接続プレートを前記アダプタープレートから離脱させるリリース機構を備えるリリースプレートと、
を備えるアダプターユニットと、
を備えているアダプターシステム。
【請求項１８】
前記チルターマウントは、前記チルターバーに連結される１対のフランジと、前記チルターマウントの軸に沿った回転を拘束するために、前記チルターマウントの第１の側に設けられた止めとを備えていることを特徴とする、請求項１７に記載のアダプターシステム。
【請求項１９】
前記止めは、前記１対のフランジに隣接する前記第１の側の両端に配置された１対のブロックから構成されていることを特徴とする、請求項１８に記載のアダプターシステム。
【請求項２０】
ワッシャーをさらに備え、
前記チルターマウントは、前記ワッシャーを収容するワッシャー通路をさらに備え、前記ワッシャー通路は、前記チルターマウントの第２の側に配置され、
前記接続プレートは、第１の側に突起を有する回転プレートを含み、前記突起は、前記回転プレートが前記チルターマウントの軸を中心として回転可能であるように、前記ワッシャー通路内で前記ワッシャーと連通していることを特徴とする、請求項１８に記載のアダプターシステム。
【請求項２１】
電子機器を取付け装置に離脱可能に連結するように操作可能なアダプターユニットを構成する方法において、
リリースプレートの第１の側がアダプタープレートの第１の側と接触するように、前記リリースプレートを前記アダプタープレートに連結させるステップと、
接続プレートの第１の側が前記リリースプレートの第２の側と接触するように、前記接続プレートを前記リリースプレートおよび前記アダプタープレートに連結させるステップであって、前記リリースプレートは、前記アダプタープレートと前記接続プレートとの間に配置されるステップと、
を含み、
前記リリースプレートの動作によって、前記接続プレートを前記アダプタープレートから少なくとも部分的に離脱させることを特徴とする方法。
【請求項２２】
前記接続プレートを連結させる前記ステップは、前記接続プレートを滑らせ、前記接続プレートの１対のアングル部材が前記アダプタープレートに作動接触するように、前記アダプタープレートに接触させることを含むことを特徴とする、請求項２１に記載の方法。
【請求項２３】
前記電子機器を前記アダプタープレートの第２の側に締め付けることをさらに含むことを特徴とする、請求項２１に記載の方法。
【請求項２４】
前記接続プレートを前記取付け装置に固定することをさらに含むことを特徴とする、請求項２１に記載の方法。
【請求項２５】
前記接続プレートを固定する前記ステップは、前記接続プレートを前記取付け装置のチルターマウントにリベット留めすることを含むことを特徴とする、請求項２４に記載の方法。
【請求項２６】
前記リリースプレートのリリース機構を押込み、前記接続プレートを前記アダプタープレートから少なくとも部分的に離脱させることをさらに含むことを特徴とする、請求項２１に記載の方法。
【請求項２７】
前記接続プレートを前記アダプタープレートから摺動可能に離脱させることをさらに含むことを特徴とする、請求項２６に記載の方法。
【請求項２８】
機器を取付けユニットに離脱可能に連結するアダプターユニットにおいて、
前記機器への接続手段を有するアダプタープレートと、
前記取付けユニットへの接続手段と前記アダプタープレートへの連結手段とを有する接続プレートと、
前記アダプタープレートと前記接続プレートとの間に配置されるリリースプレートであって、前記接続プレートを前記アダプタープレートから離脱する手段を備えるリリースプレートと、
を備えているアダプターユニット。
【請求項２９】
前記接続プレートからの前記アダプタープレートの不当なまたは偶発的な取り外しを阻止するように操作可能な安全機構をさらに備えていることを特徴とする、請求項２８に記載のアダプターユニット。
【請求項３０】
前記安全機構は、前記アダプタープレートの貫通孔に嵌入可能なネジ部品を含んでいることを特徴とする、請求項２９に記載のアダプターユニット。
【請求項３１】
前記アダプタープレートは、前記接続プレートを保持する手段をさらに備えていることを特徴とする、請求項２８に記載のアダプターユニット。
【請求項３２】
前記保持手段は、前記アダプタープレートの第１の面に配置された少なくとも１つのタブを備え、前記接続プレートは、前記タブと前記アダプタープレートの第２の面との間に保持されていることを特徴とする、請求項３１に記載のアダプターユニット。
【発明の詳細な説明】
【関連出願の相互参照】
【０００１】
本出願は、２００５年２月１６日に出願された米国特許出願第１１／０５８，８２０号の出願日の利得を主張するものであり、その開示内容は、参照することによって、ここに含まれるものとする。
【技術分野】
【０００２】
本発明は、電子機器を接続するのに用いられる装置に関する。さらに詳細には、本発明は、ユーザが電子機器、例えば、平面パネルディスプレイを取付け装置に着脱するのを可能にするクイックリリース・アセンブリに関する。
【背景技術】
【０００３】
これまで、ビデオモニターや他の電子機器は、デスク、卓上、またはパーソナルコンピュータまたはワークステーションのような他の機器の上に、設置されて来た。これらの配置の１つの欠点は、機器の占有によって、利用可能な作業空間が減少することである。他の欠点は、機器を所望の位置に設置することができないことである。さらに他の欠点は、モニターやキーボードのような機器の望ましくない設置によって、眼精疲労、首筋痛、および／または毛根管症候群のような蓄積外傷疾患をもたらす可能性があることである。
【０００４】
これらの障害を克服するために、種々の解決策が提供されてきた。例えば、１つの解決策として、モニタースタンドまたはプリンタースタンドによって、機器をデスク上の他の機器の上方に持上げる方法が挙げられる。この方法によれば、作業空間が自由に使えるようになるが、機器が望ましくない位置に設置されることが多い。他の解決策として、機械的な拡張アームを用いて、モニターを支持する方法が挙げられる。拡張アームは、作業空間を自由に使えるようにし、さらにユーザが機器を所望の個所に設置することを可能にする。このような拡張アームの１つが、「電子機器を取り付けるアーム装置」と題する米国特許第６，４７８，２７４号明細書に図示され、かつ記述されている。この特許は、参照することによって、ここに完全に含まれるものとする。他の種類の拡張アームが、「ケーブル管理システムを有する、電子機器を取り付けるアーム装置」と題する米国特許第６，４０９，１３４号明細書に図示され、かつ記述されている。この特許は、参照することによって、ここに完全に含まれるものとする。
【０００５】
多くの場合、拡張アームによってもたらされる運動の自由度を超える付加的な運動の自由度を得ることが望ましい。この目的を達成するために、チルト装置を用いることが可能である。チルト装置は、拡張アームと機器との間に配置され、機器が１つまたは複数の軸を中心として回転することを可能にしている。このようなチルト装置の１つが、「電子機器を位置決めするチルター」と題する米国特許第６，５０５，９８８号明細書に図示され、かつ記述されている。この特許は、参照することによって、ここに完全に含まれるものとする。
【発明の開示】
【発明が解決しようとする課題】
【０００６】
このようなチルター装置は、機器を所望の位置に配置するのに極めて有益であるが、機器をチルト装置と拡張アームのアセンブリから迅速に切離すのが困難なことがある。例えば、モニターは、多数のネジによって、チルト装置に固定されている。このようなネジ留めによれば、ネジの全てを取り外し、モニターを切離し、次いで、新しいモニターを取り付けるのに、数分の時間が掛かるだろう。多くの職務では、例えば、証券仲買会社や他の投資会社では、ユーザは、機能する表示ユニットへの継続的なアクセスを必要としている。数分程度の短い中断でさえ、ユーザの職務遂行能力に深刻な悪影響をもたらすことがある。従って、壊れたモニターを正常に機能するモニターと迅速に交換するクイックリシース機構が必要とされる。さらに、モニターを落下させることなく切離すために、ユーザは、従来のチルト装置からネジを外すときに、モニターが突然切離されて床に落下しないように、十分に注意する必要がある。また、モニターとチルト装置との間に大きな隙間が存在しないことがあるので、ネジにアクセスするのが困難なことがある。従って、これらおよび他の問題に対処するクイックリリース機構が望まれている。
【課題を解決するための手段】
【０００７】
本発明の実施形態によれば、機器を取付けユニットに離脱可能に連結するアダプターユニットが提供されている。アダプターユニットは、機器への接続手段を有するアダプターユニットと、取付けユニットへの接続手段とアダプタープレートへの連結手段とを有する接続プレートと、アダプタープレートと接続プレートとの間に配置されるリリースプレートとを備えている。リリースプレートは、接続プレートをアダプタープレートから離脱させるリリース機構を備えている。
【０００８】
１つの代替例では、接続プレートは、機器を軸を中心として回転させる回転プレートから構成されている。この場合、回転プレートは、好ましくは、軸を中心として少なくとも１８０°にわたって回転可能となっている。他の代替例では、リリース機構は、リリースプレートの第１端の付近に配置されたポストを備えている。さらに他の代替例では、リリースプレートは、少なくとも１つのコネクタを備え、アダプタープレートは、少なくとも１つのコネクタを固定するのに適するようにされた少なくとも１つのレセプタクルを備えている。さらに他の代替例では、リリースプレートは、その第１の側に、少なくとも１つのボスを備え、接続プレートは、少なくとも１つのボスを収容するように構成された少なくとも１つのレセプタクルを備えている。他の代替例では、接続プレートをアダプタープレートに連結する手段は、アダプタープレートの第１端と係合するように構成された１対のアングル部材を有するコネクタを含んでいる。さらに他の代替例では、接続プレートは、第１の側に突起を有する回転プレートを含んでいる。突起は、取付けユニットのチルターマウントの通路に収容可能である。この場合、回転プレートは、チルターマウントの通路に沿って少なくとも部分的に回転可能である。
【０００９】
本発明の他の実施形態によれば、電子機器をチルト装置に離脱可能に連結するアダプターユニットが提供されている。アダプターユニットは、アダプタープレートと、回転プレートと、リリースプレートとを備えている。アダプタープレートは、配列された一連の貫通孔を有し、締付け具をそれらの一連の貫通孔内に嵌入させることによって、電子機器に固定可能となっている。回転プレートは、チルト装置に固定され、また、回転プレートをアダプタープレートに固定する１対のアングル部材を備えている。リリースプレートは、アダプタープレートと回転プレートとの間に挟まれている。リリースプレートは、回転プレートをアダプタープレートから離脱させるために、その第１端に隣接して配置されたポストを備えている。
【００１０】
代替例では、固定された電子機器から離れたアダプタープレートの第１の側は、その第１端における第１厚みからその第２端における第２厚みにテーパが付された傾斜面を備えている。この場合、アダプタープレートの第１の側は、好ましくは、傾斜面の両側に配置された１対の平面をさらに備え、これら１対の平面は、リリースプレートを離脱可能に固定する手段を備えている。
【００１１】
他の代替例では、一連の貫通孔は、互いに隣接する貫通孔間を第１距離として配列された第１組と、互いに隣接する貫通孔間を第２距離として配列された第２組とを備えている。この場合、第２距離は、第１距離よりも大きい。好ましくは、第１距離は、約７５ｍｍであり、第２距離は、約１００ｍｍである。任意選択的に、アダプタープレートの第１の側は、１対の段表面を備えている。この場合、第１組の貫通孔は、第１の段表面に配置され、第２組の貫通孔は、第２の段表面上に配置されている。
【００１２】
さらに他の代替案では、アダプタープレートは、リリースプレートのポストを収容するために、第１の側に沿った開口を備えている。さらに他の代替案では、回転プレートは、突起を有する隆起部分を有する第１の側を備えている。この場合、突起は、チルト装置のチルターマウントの通路に嵌入可能である。
【００１３】
本発明のさらに他の実施形態によれば、電子機器を取付けユニットに離脱可能に連結するアダプターシステムが提供されている。アダプターシステムは、チルト装置とアダプターユニットとを備えている。チルト装置は、取付けユニットへの固定手段を有するチルターヘッドと、チルターマウントと、チルターマウントをチルターヘッドに回転可能に連結するチルターバーと、を備えている。アダプターユニットは、機器への接続手段を有するアダプタープレートと、チルターマウントに固定可能な接続プレートであって、アダプタープレートへの連結手段を有する接続プレートと、アダプタープレートと接続プレートとの間に配置されるリリースプレートであって、接続プレートをアダプタープレートから離脱させるリリース機構を有するリリースプレートとを備えている。
【００１４】
代替例では、チルターマウントは、チルターバーに連結される１対のフランジと、チルターマウントの軸に沿った回転を拘束するために、チルターマウントの第１の側に設けられた止め（ストッパ）とを備えている。この場合、この止めは、好ましくは、１対のフランジに隣接する第１の側の両端に配置された１対のブロックから構成されている。
【００１５】
他の代替例では、アダプターシステムは、ワッシャーをさらに備えている。この場合、チルターマウントは、ワッシャーを収容するワッシャー通路を備えている。このワッシャー通路は、チルターマウントの第２の側に配置されている。接続プレートは、第１の側に突起を有する回転プレートを含んでいる。突起は、回転プレートがチルターマウントの軸を中心として回転可能であるように、ワッシャー通路内でワッシャーと連通している。
【００１６】
本発明のさらに他の実施形態によれば、アダプターユニットを構成する方法が提供されている。アダプターユニットは、電子機器を取り付け装置に離脱可能に連結するように操作可能である。この方法は、リリースプレートの第１の側がアダプタープレートの第１の側と接触するように、リリースプレートをアダプタープレートに連結させるステップと、リリースプレートの第１の側がリリースプレートの第２の側と接触するように、接続プレートをリリースプレートおよびアダプタープレートに連結するステップであって、リリースプレートは、アダプタープレートと接続プレートとの間に配置されるようなステップと、を含み、リリースプレートの動作によって、接続プレートをアダプタープレートから少なくとも部分的に離脱させるものである。
【００１７】
代替例では、接続プレートを連結させるステップは、接続プレートを滑らせ、接続プレートの１対のアングル部材がアダプタープレートに作動接触するように、アダプタープレートと接触させることを含んでいる。他の代替案では、この方法は、電子機器をアダプタープレートの第２の側に締め付けることをさらに含んでいる。さらに他の代替案では、この方法は、接続プレートを取付け装置に固定することをさらに含んでいる。この場合、接続プレートを固定するステップは、好ましくは、接続プレートを取付け装置のチルターマウントにリベット留めすることを含んでいる。さらに他の代替案では、この方法は、リリースプレートのリリース機構を押込み、接続プレートをアダプタープレートから少なくとも部分的に離脱させることをさらに含んでいる。この場合、この方法は、望ましくは、接続プレートをアダプタープレートから摺動可能に離脱させることをさらに含んでいる。
【００１８】
本発明の他の実施形態によれば、機器を取り付けユニットに離脱可能に連結するアダプターユニットが提供されている。アダプターユニットは、アダプタープレートと、接続プレートと、リリースプレートとを備えている。アダプタープレートは、機器への接続手段を有している。接続プレートは、取付けユニットへの接続手段とアダプタープレートへの連結手段とを有している。リリースプレートは、アダプタープレートと接続プレートとの間に配置される。このリリースプレートは、接続プレートをアダプタープレートから離脱させる手段を備えている。
【００１９】
代替例では、アダプターユニットは、接続プレートからのアダプタープレートの不法なまたは偶発的な取り外しを阻止するように操作可能な安全機構をさらに備えている。この場合、安全機構は、好ましくは、アダプタープレートの貫通孔に嵌入可能なネジ部品を含んでいる。他の代替例では、アダプタープレートは、接続プレートを保持する手段をさらに備えている。この場合、この保持手段は、好ましくは、アダプタープレートの第１の面に配置された少なくとも１つのタブを備える。ここでは、接続プレートは、タブとアダプタープレートの第２の面との間に保持されるようになっている。
【発明を実施するための最良の形態】
【００２０】
以下の好ましい実施形態の記載および添付の図面を参照して検討すれば、本発明の態様、特徴、および利点は、明らかになるだろう。図面に示される本発明の好ましい実施形態の説明では、明確にするために、特定の専門用語を用いている。しかし、本発明は、このように選択される特定の用語に制限されるものではなく、選択される各用語は、同様の目的を達成するために同じように機能するあらゆる技術的な等価物を含むことが理解されるべきである。
【００２１】
図１は、拡張アーム１００を示している。拡張アーム１００は、一端で取付けアセンブリ（図示せず）に接続され、他端でチルト装置２００に取り付けられている。取付けアセンブリは、どのような望ましい構成であってもよく、デスク、スレート壁のような壁、オフィスのパーテッションの一部のような備品に取り付けられてもよい。チルト装置２００は、平面パネルモニターのような電子機器３００に接続可能である。ケーブル３０２が、一端で電子機器３００に接続され、他端にプラグまたは他のコネクタ３０４を有している。以下、電子機器３００を平面パネルモニターまたは他のビデオモニターとして説明するが、本発明は、このような装置と共に用いられる場合に制限されず、無動力機器を含む多岐にわたる機器と共に用いられてもよい。
【００２２】
拡張アーム１００は、従来の拡張アームまたはどのような他の適切な取付け装置であってもよい。好ましくは、拡張アーム１００は、前述の米国特許第６，４０９，１３４号明細書および第６，４７８，２７４号明細書に十分に記載されている形式の１つである。図１に示されるように、拡張アーム１００は、第１エンドキャップ１０２と、アーム１０４と、第２エンドキャップ１０８と、前腕拡張部１１０とを備えることが可能である。
【００２３】
第１エンドキャップ１０２は、例えば、ピンによって、アーム１０４の一端に取り付けられたハウジングを備えている。シャフト１１８または他の接続装置が、取付けアセンブリに接続するように構成されている。シャフト１１８は、第１エンドキャップ１０２のハウジングの端壁と一体に成形されているとよい。代替的に、シャフト１１８は、第１エンドキャップ１０２のハウジングに固定して取り付けられてもよい。シャフト１１８は、好ましくは、第１エンドキャップ１０２と一体化されている。
【００２４】
アーム１０４は、好ましくは、上側ハウジング１０６ａおよび下側ハウジング１０６ｂから形成されている。上側ハウジング１０６ａおよび下側ハウジング１０６ｂは、例えば、ガススプリング（図示せず）をそれらの間に収容するチャンバを画定している。ガススプリングは、好ましくは、一端が、第１エンドキャップ１０２内に調整可能に取り付けられ、他端が、例えば、上側ハウジング１０６ａ内に取り付けられたボールスタッドに調整可能に取り付けられている。ケーブル３０２が、米国特許第６，４０９，１３４号明細書に図示され、かつ記述されるように、アーム１０４内に固定されているとよい。代替的に、アーム１０４は、拡張アーム１００によって支持された電子機器３００のケーブル３０２を固定するために、１つまたは複数の外部結束バンドを備えていてもよい。
【００２５】
第２エンドキャップ１０８は、例えば、ピンによって、アーム１０４の第２端に取り付けられたハウジングを有している。シャフトが、第２エンドキャップ１０８の当該ハウジングの上部から延出することが可能であり、前腕拡張部１１０に随意的に接続されている。前腕拡張部１１０は、内部通路を有する本体１１４と、第１端１１２および第２端１１６とを備えている。前腕拡張部１１０は、好ましくは、第１端１１２の軸を中心として回転可能である。
【００２６】
上側ハウジング１０６ａ、下側ハウジング１０６ｂ、第１エンドキャップ１０２および第２エンドキャップ１０８は、調整可能な平行四辺形を形成するように、構成されている。このように構成されていると、第１エンドキャップ１０２のハウジングと第２エンドキャップ１０８のハウジングは、互いに逆方向を向くことになる。平行四辺形の形状は、アーム１０４のチャンバ内のガススプリングによって保持されている。一般的に、ガススプリングは、ガススプリングの設計抵抗値を超える上向き力または下向き力が第２エンドキャップ１０８に加えられるまで、固定長さを有するような大きさを具備している。従って、ガススプリングは、第２エンドキャップ１０８に加えられる唯一の力が電子機器３００の重量である場合、平行四辺形を保持することになる。しかし、ガススプリングは、ユーザが好ましくはチルト装置２００によって前腕拡張部１１０に連結された電子機器３００を上下に押したとき、その平行四辺形の形状を調整することが可能となっている。
【００２７】
チルト装置２００は、エンドキャップ１０８または前腕拡張部１１０の第２端１１６に直接接続され、好ましくは、エンドキャップ１０８または第２端１１６を中心として回転可能である。本発明の態様によって、電子機器３００を傾斜させ、角度付けし、旋回させ、および／または回転させるのに、種々のチルト装置２００を用いることができる。単なる例示にすぎないが、図２に示されるように、チルト装置２００は、電子機器３００を、２つの軸、すなわち、Ｘ軸およびＹ軸を中心として回転または旋回させることが可能である。チルト装置２００に接続されたアダプターユニット２０２が、Ｚ軸を中心として回転または旋回するとよい。前腕拡張部１１０は、好ましくは、Ｙ軸を中心とするチルト装置２００の運動を制限する係止機構を有している。チルト装置２００も、Ｘ軸を中心とする運動を制限する係止機構を備えているとよい。係止機構は、例えば、第２端１１６の壁またはチルト装置２００の一部のいずれかに挿入可能な止めネジから構成されているとよい。
【００２８】
チルト装置２００は、前述の米国特許第６，５０５，９８８号明細書に図示され、かつ記述されているような周知の構成要素を備えているとよい。図２に示されるように、本発明に用いられるチルト装置２００の実施形態は、チルターヘッド２０４と、チルターマウント２０６と、チルターマウント２０６をチルターヘッド２０４に連結するチルターバー２０８とを備えている。アダプターユニット２０２が、電子機器３００をこのチルト装置２００に連結している。
【００２９】
チルト装置２００およびアダプターユニット２０２の例が、図３Ａ〜図３Ｃにさらに詳細に示されている。図３Ｂの後面図および図３Ｃの側面図に示されるように、チルターヘッド２０４は、好ましくは、前腕拡張部１１０の第２端１１６またはエンドキャップ１０８に挿入される基部またはステム２１０を備えている。
【００３０】
本発明の態様によれば、アダプターユニット２０２は、望ましくは、クイックリリース・アダプターユニット２０２である。クイックリリース・アダプターユニット２０２は、好ましくは、アダプタープレート２１２と、リリースプレート２１４と、接続または回転プレート２１６とを備えている。電子機器３００は、アダプタープレート２１２に取り付けられている。接続／回転プレート２１６は、チルト装置２００に取り付けられ、好ましくは、アダプタープレート２１２およびリリースプレート２１４と共に電子機器３００が、Ｚ軸を中心として回転することを可能にしている。リリースプレート２１４は、ユーザがアダプタープレート２１２および電子機器３００を回転プレート２１６およびチルト装置２００から迅速に分離するのを可能にするものである。以下、アダプタープレート２１２、リリースプレート２１４および回転プレート２１６について、さらに詳細に説明する。
【００３１】
図４Ａ〜図４Ｈは、アダプタープレート２１２の好ましい実施形態を示す図である。特に、図４Ａは、前面２１８を示し、図４Ｂは、後面２２０を示し、図４Ｃは、前面２１８の斜視図を示し、図４Ｄは、後面２２０の斜視図を示している。図４Ｅ、図４Ｆは、アダプタープレート２１２の第１端２２１を示す図である。図４Ｇ、図４Ｈは、アダプタープレート２１２の側面図である。図４Ａの前面図および図４Ｂの後面図に示されるように、アダプタープレート２１２の側縁は、湾曲状または星状の形状を有するとよい。代替的に、これらの側縁は、どのような他の幾何学的形状を有していてもよい。アダプタープレート２１２は、好ましくは、アルミニウムのような金属から構成され、単一体として鋳造されているとよい。しかし、アダプタープレート２１２は、プラスチックまたは他の材料を用いて形成されてもよい。代替的に、アダプタープレート２１２は、２つ以上の構成要素から作製されてもよい。
【００３２】
図４Ａ、図４Ｂに示されるように、アダプタープレート２１２は、好ましくは、第１組の貫通孔２２２ａ〜２２２ｄおよび第２組の貫通孔２２４ａ〜２２４ｄを備えている。第１組の貫通孔２２２ａ〜２２２ｄおよび第２組の貫通孔２２４ａ〜２２４ｄは、望ましくは、従来のコンピュータモニターに見られる孔パターンに対するビデオエレクトロニクス規格制定委員会（ＶＥＳＡ）の規格に準拠している。例えば、第１組の貫通孔２２２ａ〜２２２ｄは、好ましくは、互いに隣接する貫通孔２２２ａ〜２２２ｄ間の距離ｄ1が略７５ｍｍまたは略２．９５インチの正方形状に配列されている。同様に、第２組の貫通孔２２４ａ〜２２４ｄは、好ましくは、互いに隣接する貫通孔２２４ａ〜２２４ｄ間の距離ｄ2が略１００ｍｍまたは略３．９４インチの正方形状に配列されている。アダプタープレート２１２は、貫通穴２２２ａ〜２２２ｆおよび２２４ａ〜２２４ｄ内および電子機器３００のレセプタクル内に挿入可能なネジまたは他の締め具（図示せず）によって、電子機器３００に固定されている。図４Ａに示されるように、前面２１８は、以下に説明するように、接続／回転プレート２１６を固定するのに役立つ１つまたは複数のレセプタクルまたは領域２２５を備えているとよい。
【００３３】
図４Ｃの斜視図に示されるように、前面２１８は、段表面２２６，２２８を備えているとよい。段表面２２６には、貫通孔２２２ａ〜２２２ｄが配置され、段表面２２８には、貫通孔２２４ａ〜２２４ｄが配置されている。図４Ｄの斜視図に示されるように、貫通孔２２２ａ〜２２２ｄ，２２４ａ〜２２４ｄは、後面２２０に皿孔を有しているとよい。
【００３４】
アダプタープレート２１２は、好ましくは、リリースプレート２１４に接続する１つまたは複数の取付け点を備えている。例えば、アダプタープレート２１２は、一連のレセプタクルまたは貫通孔２３０および／またはスロット２３１を備えているとよい。貫通孔２３０は、前面２１８に、皿孔を有しているとよい。スロット２３１は、好ましくは、後面２２０に配置され得る１つまたは複数のタブ２３２の（例えば、鋳造による）作製を可能にするために、設けられている。図４Ｂ、図４Ｄを参照されたい。図４Ｄ〜図４Ｆに示されるように、アダプタープレート２１２は、該アダプタープレート２１２の上端またはその近傍に、開口または凹部２３３を備えていてもよい。
【００３５】
図４Ｄ、図４Ｈに示されるように、後面２２０は、好ましくは、第２端２３８の近くの厚肉部分２３６から第１端２２１の近くの薄肉部分２４０に徐々に薄くなるように角度が付けられた表面２３４を備えている。また、後面２２０は、表面２３４と一体化されてもよいしまたは分離されてもよい１対の表面２４２ａ，２４２ｂも備えているとよい。表面２４２ａ，２４２ｂは、好ましくは、実質的に平坦である。図４Ａ、図４Ｂを再び参照すると、第２端２３８は、レセプタクルまたは貫通孔２４４も備えているとよい。
【００３６】
図５Ａ〜図５Ｆは、リリースプレート２１４を示す図である。リリースプレート２１４は、前面２４６および後面２４８を備える本体２４５を有している。特に、図５Ａは、前面２４６を示し、図５Ｂは、後面２４８を示し、図５Ｃは、前面２４６の斜視図を示し、図５Ｄは、後面２４８の斜視図を示している。図５Ｅは、リリースプレート２１４の第１端２４９を示す図である。図５Ｆは、リリースプレート２１４の側面図である。リリースプレート２１４は、好ましくは、Ｅ．Ｉ．デュポン・デ・ネモス・カンパニー（Du Pont De Nemours and Company）から市販されているデルリン（DELRIN）?（アセタール樹脂）のようなプラスチックから形成され、単一体として鋳込まれるとよい。しかし、リリースプレート２１４は、バネ鋼または他の材料のような金属を用いて形成されてもよい。代替的に、リリースプレート２１４は、２つ以上の構成要素から作製されてもよい。
【００３７】
リリースプレート２１４の前面２４６は、好ましくは、第１端２４９またはその近傍に配置されたポスト２５０を備えている。ポスト２５０は、支持体２５２および／または支持体２５４によって補強されているとよい。ポスト２５０に代わって、リリース機構として機能するどのような他の装置または機構が用いられてもよい。単なる例示にすぎないが、凹部または窪みが用いられてもよい。前面２４６は、好ましくは、図５Ａに示されるように、１つまたは複数のボス２５６または他の突起も備え、実質的に互いに平行に延在する１対のアーム２５８も備えているとよい。アーム２５８は、スリットまたは間隙２５９によって、リリースプレート２１４の本体２４５から部分的に分離されているとよい。
【００３８】
リリースプレート２１４の後面２４８は、好ましくは、レセプタクルまたは貫通孔２３０と係合するように構成された１つまたは複数のコネクタ２６０を備えている。図５Ｆの側面図に示されるように、コネクタ２６０は、各々、部分的にまたは完全に互いに離れている第１半体２６０ａおよび第２半体２６０ｂから構成されているとよい。これらの半体２６０ａ，２６０ｂは、好ましくは、柔軟性を有している。従って、半体２６０ａ，２６０ｂは、レセプタクル／貫通孔２３０に挿入中は、互いに向かって曲げられ、貫通した後、真直ぐな位置に戻され、リリースプレート２１４をアダプタープレート２１２に固定することができる。望ましくは、コネクタ２６０は、リリースプレート２１４がアダプタープレート２１２に固定して取り付けられ、すなわち、永久的に取り付けられるように、選択されている。
【００３９】
図６Ａ〜図６Ｆは、接続または回転プレート２１６を示す図である。回転プレート２１６は、前面２６４および後面２６６を備える本体２６２を有している。特に、図６Ａは、前面２６４を示し、図６Ｂは、後面２６６を示している。図６Ｃは、前面２６４の透視図である。図６Ｄは、回転プレート２１６の第１端２６７を示している。図６Ｅは、回転プレート２１６の側面図である。図６Ｆは、代替的な前面２６４’の斜視図である。回転プレート２１６は、好ましくは、アルミニウムのような金属から構成され、単一体として鋳造されているとよい。しかし、回転プレート２１６は、プラスチックまたは他の材料を用いて形成されていてもよい。代替的に、回転プレート２１６は、２つ以上の構成要素から作製されていてもよい。
【００４０】
図６Ａ、図６Ｃに示されるように、前面２６４は、好ましくは、隆起部２６８を備えている。隆起部２６８は、望ましくは、その上に突起２７０を有すると共に、貫通する中心開口２７２を有している。中心開口２７２は、円形であってもよく、または他の形状であってもよい。図６Ａ、図６Ｂに最もよく示される好ましい実施形態では、中心開口２７２は、リベットを保持するのに役立つ「花状部」または窪み部を有している。また、本体２６２は、好ましくは、第１端２６７の近くに少なくとも１つのレセプタクルまたは開口２７４を備えていると共に、第２端２７７の近くに１つまたは複数のコネクタ２７６を備えている。図６Ｂ〜図６Ｅに示されるように、コネクタ２７６は、好ましくは、フックまたはアングル部材２７８のような固定手段を備えている。レセプタクル２７４およびアングル部材２７８は、以下に説明するように、回転プレート２１６をアダプタープレート２１２およびリリースプレート２１４に固定するのに、用いられている。回転プレート２１６は、好ましくは、突起２７０を備えるが、図６Ｆに示される代替的な実施形態では、突起２７０は、前面２６４’から省略されてもよい。
【００４１】
図７Ａ）〜図７Ｅは、チルターマウント２０６の好ましい実施形態を示している。チルターマウント２０６は、望ましくは、アルミニウムのような比較的軽量で強靭な金属から形成される。さらに好ましくは、チルターマウント２０６は、単一構造体として鋳造されている。図７Ａに示されるように、チルターマウント２０６は、望ましくは、略正方形状を有する基部２８０を有している。この基部２８０から、１対のフランジ２８２が延在している。好ましくは矩形状のブロックである止め２８４が、望ましくは、フランジ２８２に隣接し、これらフランジ２８２を接続するように、基部２８０の内面に形成されている。図７Ｃ、図７Ｅを参照されたい。止め２８４は、チルターマウント２０６がチルターヘッド２０４のＸ軸を中心として負の方向または下向きの方向に回転するのを拘束するように働いている。図７Ａ、図７Ｃおよび図７Ｅに示されるように、フランジ２８２は、望ましくは、チルト装置２００のチルターバー２０８および他の構成要素を受入れるために形成されたシャフト孔２８６を備えている。シャフト孔２８６は、好ましくは、延びた管状通路を形成するために、チルターヘッド２０４の中心開口と一直線に並ぶようになっている。リベット孔２８８が、望ましくは、基部２８０の中心を貫通している。このリベット孔２８８は、好ましくは、リベットのヘッドが固定して嵌合される凹部２９０を備えている。
【００４２】
図７Ａ、図７Ｂは、基部２００が、好ましくは、ワッシャーを収容するように構成されたワッシャー通路２９２も備えていることを示している。ワッシャー通路２９２は、望ましくは、浅いとよく、例えば、０．２５インチ未満の深さを有している。ワッシャー通路２９２は、リベット孔２８８を部分的にまたは完全に包囲しているとよい。図７Ｂに最もよく示されるように、この実施形態におけるワッシャー通路２９２は、Ｚ軸を中心としてリベット孔２８８の少なくとも１／２、例えば、約９５°にわたって、Ｙ軸の左側または右側を包囲している。
【００４３】
代替的なチルターマウント２０６’が、図７Ｆ、図７Ｇに示されている。ここでは、止め２８４は、好ましくは、少なくとも２つのブロック２８４’から構成されている。ブロック２８４’は、望ましくは、矩形状であり、好ましくは、フランジ２８２に直接接続されている。図７Ｇは、リベット孔２８８およびその凹部２９０を示す線７Ｆ−７Ｆに沿ったチルターマウント２０６の断面図である。
【００４４】
図８は、代替的なチルターマウント２０６’を示すと共に、リベット２９４およびワッシャー２９６がいかにチルターマウント２０６’に取り付けられるかを示している。リベット２９４は、好ましくは、金属から作製されている。ワッシャー２９６は、好ましくは、ナイロンから構成され、ワッシャー通路２９２の深さよりも厚くてはならない。リベット２９４は、少なくとも部分的にリベット孔２８８内に挿入可能となっている。ワッシャー２９６は、ワッシャー通路２９２内に挿入されている。この図から分かるように、ワッシャー通路２９２およびワッシャー２９６は、いずれも、完全な円形状であってもよい。
【００４５】
以下、本発明の態様によるクイックリリース・アダプターユニット２０２の組立について、図９Ａ〜図９Ｆを参照して説明する。図９Ａに示されるように、リリースプレート２１４が、アダプタープレート２１２の後面２２０の表面２３４に連結されている。リリースプレート２１４の後面２４８のコネクタ２６０は、アダプタープレート２１２のレセプタクル２３０と係合し、ボス２５６は、後面２４８から突出している。代替的な実施形態では、リリースプレート２１４の後面２４８はレセプタクルを備えていてもよく、アダプタープレート２１２は、それらに取り付けられるコネクタを備えていてもよい。実際、リリースプレート２１４とアダプタープレート２１２との間には、どのような形式の締付け手段が設けられていてもよい。前述したように、リリースプレート２１４は、アダプタープレート２１２に永久的に取り付けられてもよい。リリースプレート２１４のポスト２５０は、好ましくは、アダプタープレート２１２の開口２３３内に少なくとも部分的に収容される。１対のアーム２５８は、好ましくは、一対の平面２４２ａ，２４２ｂと接触する。この時点では、本体２４５とアーム２５８は、好ましくは、同一面に沿って位置している。
【００４６】
図９Ｂは、アダプタープレート２１２およびリリースプレート２１４に連結された後の回転プレート２１６を示している。回転プレート２１６が接続されると、リリースプレート２１４は、回転プレート２１６とアダプタープレート２１２との間に挟まれる。リリースプレート２１４の前面２４６のボス２５６は、好ましくは、回転プレート２１６のレセプタクルまたは開口２７４にしっかりと嵌入される。代替的に、リリースプレート２１４の前面２４６は、回転プレート２１６のボスに接続するレセプタクルまたは開口を有してもよい。実際、リリースプレート２１４を回転プレート２１６に接続するのに適する多くの異なる形式の締付け手段が、考えられる。回転プレートは、コネクタ２７６のアングル部材２７８がアダプタープレート２１２の第２端２３８を取り巻くように、配置されるべきである。アングル部材２７８は、（もしアダプタープレート２１２の前面２１８にレセプタクルまたは領域２２５が設けられているなら）、それらのレセプタクルまたは領域２２５に接触するとよい。アダプタープレート２１２のタブ２３２は、好ましくは、回転プレート２１６のレセプタクルまたは開口２７４に隣接するコーナを覆う。これらのタブ２３２は、回転プレート２１６をその場に保持するのを助長するものである。
【００４７】
図９Ｃ〜図９Ｆは、組み立てられたアダプターユニット２０２を示す図である。図１０Ａ〜図１０Ｃは、チルターマウント２０６に離脱可能に接続されたアダプターユニット２０２を示している。勿論、回転プレート２１６は、リリースプレート２１４およびアダプタープレート２１２に取り付けられる前に、チルターマウント２０６にリベット留めされてもよいことが理解されるべきである。電子機器３００は、アダプターユニット２０２の全体が組み立てられる前または後のいずれにおいて、アダプタープレート２１２に固定されてもよい。回転プレート２１６によって、リリースプレート２１４、アダプタープレート２１２および電子機器２１２は、チルターマウント２０６に対して回転することが可能である。
【００４８】
チルターマウント２０６が回転プレート２１６に取り付けられた時点で、チルターバー２０８を用いて、チルターヘッド２０４をチルターマウント２０６に接続することが可能となる。また、チルターマウント２０６は、リベットまたはそれ以外の手段によって回転プレート２１６に固定される前または後のいずれにおいて、チルターヘッド２０４およびチルターバー２０８に接続されてもよいことが理解されるべきである。クイックリリース・アダプターユニット２０２が適切に組み立てられ、チルト装置２００および電子機器３００に接続されると、電子機器は、好ましくは、図２に示されるように、Ｘ，Ｙ，Ｚ軸の１つまたは複数の軸を中心として調整可能になる。しかし、回転プレート２１６は、電子機器３００をＺ軸を中心として回転させる働きをするとして説明したが、電子機器３００をＺ軸を中心として回転させない他の非回転式の接続プレートが、用いられてもよい。このような場合、ワッシャー通路２９２およびワッシャー２９６と共に、回転プレート２１６の突起２７０は、不必要である。
【００４９】
電子機器３００を取り外すために、ユーザは、好ましくは、ポスト２５０または他のリリース機構を引っ張るか、押し込むか、またはそれ以外の動作を行なうことによって、アダプタープレート２１２の開口２３３内に、従って、電子機器３００に向かって移動させる。これによって、本体２４５が、偏移する、すなわち、回転プレート２１６から離れる方向に移動する。その結果、リリースプレート２１４のボス２５６または他の突起が、回転プレート２１６の孔または凹部２７４から離脱される。この時点で、回転プレート２１６は、アダプタープレート２１２から少なくとも部分的に離脱している。もしこの時点でコネクタ２７６のアングル部材２７８が離脱していない場合、次に、そのアングル部材２７８をアダプタープレート２１２の第２端２３８から離脱させる。アダプタープレート２１２の第２端２３８が上を向いている場合、回転プレート２１６を上方に滑らせてアダプタープレート２１２から離すことによって、回転プレート２１６を完全に取り外すことが可能となる。電子機器３００が損傷する可能性を避けるために、離脱の前に、電子機器３００を安定した面に支持させるようにしてもよい。
【００５０】
電子機器３００を取外した後も、リリースプレート２１４は、好ましくは、アダプタープレート２１２に連結された状態で保持される。任意選択的に、リリースプレート２１４をアダプタープレート２１２から取り外すことも可能である。次いで、同一または異なる種類の電子機器３００を、回転プレート２１６を前述したようにアダプターユニット２０２の他の部材に固定することによって、拡張アームまたは他の取付け装置に再び取り付けることが可能となる。
【００５１】
リリースプレート２１４は、ユーザが回転プレート２１６をアダプタープレート２１２から迅速に離脱させることを可能にするが、不注意な離脱または望まれていない離脱を阻止することが望ましい場合もある。例えば、出入の多い環境では、権限のない人が機器を取り扱うのを阻止することが望ましい。図１１Ａは、ネジ部品２９８の形態にある安全機構を示している。このネジ部品２９８は、好ましくは、アダプタープレート２１２の貫通孔２４４に嵌め込まれている。図１１Ｂに示されるように、安全機構が係合されると、例えば、ネジ部品２９８が貫通孔２４４内にねじ込まれると、回転プレート２１６をアダプタープレート２１２およびリリースプレート２１４から離れるように滑らせることができない。安全機構は、ネジ部品２９８として示されているが、多くの他の機構、例えば、制限はされないが、クリップ、金具、留め具、錠、ピン、蝶ナットなどが用いられてもよい。従って、権限のないユーザがアダプタープレート２１２およびモニターまたは他の電子機器３００を回転プレート２１６およびチルターマウント２０６から迅速に解除するのが困難になる。
【００５２】
本発明によれば、ユーザが電子機器を拡張アームまたは他の取付け装置に容易に着脱することを可能にするクイックリリース装置が提供されることが、分かるだろう。電子機器を取り外すために手を伸ばし難い締め具を取り除くかまたは緩めることは不要である。前述した証券仲買会社の例では、問題のあるモニターを新しいモニターと迅速に交換することができるので、仲買業者は、業績に悪影響をもたらすことなく、商取引を継続することができる。また、本発明によれば、電子機器の不当なまたは偶発的な取り外しを阻止する代替的な安全機構も提供されることになる。
【００５３】
本発明の態様によるアダプターユニットは、従来の拡張アームおよびチルト装置と共に用いられてもよい。ここに記載されたチルターマウントを含む新しいチルト装置が、１つまたは複数の軸を中心とする電子機器の部分的または完全な回転をもたらすアダプターユニットと共に用いられてもよい。
【００５４】
本発明を特定の実施形態を参照して説明したが、これらの実施形態は、本発明の原理および用途の単なる例示に過ぎないことが理解されるべきである。従って、多くの修正が例示的な実施形態に対してなされてもよく、他の構成が特許請求の範囲によって定義される本発明の精神および範囲から逸脱することなく考案されてもよいことが理解されるべきである。
【産業上の利用可能性】
【００５５】
本発明は、広い工業的な利用可能性、例えば、制限されないが、ビデオモニターの拡張アーム、スタンドおよびカップリングのようなコンピュータ周辺機器への利用可能性を有している。
【図面の簡単な説明】
【００５６】
【図１】電子機器を調整可能に取り付けるチルト装置に接続された拡張アームアセンブリを示す図である。
【図２】図１の一部を拡大して示す図である。
【図３Ａ】本発明の態様によるチルト装置およびアダプターユニットを示す図である。
【図３Ｂ】本発明の態様によるチルト装置およびアダプターユニットを示す図である。
【図３Ｃ】本発明の態様によるチルト装置およびアダプターユニットを示す図である。
【図４Ａ】本発明の態様によるアダプタープレートを示す図である。
【図４Ｂ】本発明の態様によるアダプタープレートを示す図である。
【図４Ｃ】本発明の態様によるアダプタープレートを示す図である。
【図４Ｄ】本発明の態様によるアダプタープレートを示す図である。
【図４Ｅ】本発明の態様によるアダプタープレートを示す図である。
【図４Ｆ】本発明の態様によるアダプタープレートを示す図である。
【図４Ｇ】本発明の態様によるアダプタープレートを示す図である。
【図４Ｈ】本発明の態様によるアダプタープレートを示す図である。
【図５Ａ】本発明の態様によるリリースプレートを示す図である。
【図５Ｂ】本発明の態様によるリリースプレートを示す図である。
【図５Ｃ】本発明の態様によるリリースプレートを示す図である。
【図５Ｄ】本発明の態様によるリリースプレートを示す図である。
【図５Ｅ】本発明の態様によるリリースプレートを示す図である。
【図５Ｆ】本発明の態様によるリリースプレートを示す図である。
【図６Ａ】本発明の態様による接続／回転プレートを示す図である。
【図６Ｂ】本発明の態様による接続／回転プレートを示す図である。
【図６Ｃ】本発明の態様による接続／回転プレートを示す図である。
【図６Ｄ】本発明の態様による接続／回転プレートを示す図である。
【図６Ｅ】本発明の態様による接続／回転プレートを示す図である。
【図６Ｆ】本発明の態様による接続／回転プレートを示す図である。
【図７Ａ】本発明の態様によるチルターマウントを示す図である。
【図７Ｂ】本発明の態様によるチルターマウントを示す図である。
【図７Ｃ】本発明の態様によるチルターマウントを示す図である。
【図７Ｄ】本発明の態様によるチルターマウントを示す図である。
【図７Ｅ】本発明の態様によるチルターマウントを示す図である。
【図７Ｆ】本発明の態様によるチルターマウントを示す図である。
【図７Ｇ】本発明の態様によるチルターマウントを示す図である。
【図８】本発明の態様によるチルターマウント、リベットおよびワッシャーの分解斜視図である。
【図９Ａ】本発明の態様によるアダプターユニットの組立を示す図である。
【図９Ｂ】本発明の態様によるアダプターユニットの組立を示す図である。
【図９Ｃ】本発明の態様によるアダプターユニットの組立を示す図である。
【図９Ｄ】本発明の態様によるアダプターユニットの組立を示す図である。
【図９Ｅ】本発明の態様によるアダプターユニットの組立を示す図である。
【図９Ｆ】本発明の態様によるアダプターユニットの組立を示す図である。
【図１０Ａ】本発明の態様によるアダプターユニットおよびチルターマウントを示す図である。
【図１０Ｂ】本発明の態様によるアダプターユニットおよびチルターマウントを示す図である。
【図１０Ｃ】本発明の態様によるアダプターユニットおよびチルターマウントを示す図である。
【図１１Ａ】本発明の態様によるアダプターユニットの取外しを阻止する安全機構を示す斜視図である。
【図１１Ｂ】本発明の態様によるアダプターユニットの取外しを阻止する安全機構を示す斜視図である。
【図１】
2008538233.tif 000003
【図２】
2008538233.tif 000004
【図３Ａ】
2008538233.tif 000005
【図３Ｂ】
2008538233.tif 000006
【図３Ｃ】
2008538233.tif 000007
【図４Ａ】
2008538233.tif 000008
【図４Ｂ】
2008538233.tif 000009
【図４Ｃ】
2008538233.tif 000010
【図４Ｄ】
2008538233.tif 000011
【図４Ｅ】
2008538233.tif 000012
【図４Ｆ】
2008538233.tif 000013
【図４Ｇ】
2008538233.tif 000014
【図４Ｈ】
2008538233.tif 000015
【図５Ａ】
2008538233.tif 000016
【図５Ｂ】
2008538233.tif 000017
【図５Ｃ】
2008538233.tif 000018
【図５Ｄ】
2008538233.tif 000019
【図５Ｅ】
2008538233.tif 000020
【図５Ｆ】
2008538233.tif 000021
【図６Ａ】
2008538233.tif 000022
【図６Ｂ】
2008538233.tif 000023
【図６Ｃ】
2008538233.tif 000024
【図６Ｄ】
2008538233.tif 000025
【図６Ｅ】
2008538233.tif 000026
【図６Ｆ】
2008538233.tif 000027
【図７Ａ】
2008538233.tif 000028
【図７Ｂ】
2008538233.tif 000029
【図７Ｃ】
2008538233.tif 000030
【図７Ｄ】
2008538233.tif 000031
【図７Ｅ】
2008538233.tif 000032
【図７Ｆ】
2008538233.tif 000033
【図７Ｇ】
2008538233.tif 000034
【図８】
2008538233.tif 000035
【図９Ａ】
2008538233.tif 000036
【図９Ｂ】
2008538233.tif 000037
【図９Ｃ】
2008538233.tif 000038
【図９Ｄ】
2008538233.tif 000039
【図９Ｅ】
2008538233.tif 000040
【図９Ｆ】
2008538233.tif 000041
【図１０Ａ】
2008538233.tif 000042
【図１０Ｂ】
2008538233.tif 000043
【図１０Ｃ】
2008538233.tif 000044
【図１１Ａ】
2008538233.tif 000045
【図１１Ｂ】
2008538233.tif 000046